(57)【要約】本願の課題は、通信確立時に発信者が通信当事者の匿名性質を確認することのできる匿名通信システムを提供することにある。本願は、匿名通信確立装置は、着側端末を指定した発側端末からの通信接続要求時、匿名管理情報取得部により、発側端末の匿名管理情報と着側端末の匿名管理情報を匿名性質管理装置から取得する。次に、通知部により、取得した匿名管理情報から発側端末および着側端末の少なくとも一方の匿名性質を取得して発側端末へ通知する。次に、通信確立部により、発側端末と着側端末との間に通信セッションを確立する。その際、取得した匿名管理情報に含まれる発側端末の匿名性質に応じて着側端末へ通知する発側端末のアドレスを実アドレスおよび匿名アドレスのうちの何れにするかを決定する。
2010013802.tif 000002
【特許請求の範囲】
【請求項１】
匿名による通信が可能な匿名通信システムであって、
通信セッションの確立時に通信当事者の匿名性質を検知し、発側の通信端末に通知すること
を特徴とする匿名通信システム。
【請求項２】
通信端末の実アドレスと匿名アドレスと匿名性質とを含む匿名管理情報を保持する匿名性質管理手段と、通信端末間に通信セッションを確立する匿名通信確立手段とを備え、
前記匿名通信確立手段は、
着側端末を指定した発側端末からの通信接続要求時、発側端末の匿名管理情報と着側端末の匿名管理情報とを前記匿名性質管理手段から取得する匿名管理情報取得手段と、
前記取得した匿名管理情報から発側端末および着側端末の少なくとも一方の匿名性質を取得して発側端末へ通知する通知手段と、
発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段と
を有することを特徴とする請求項１に記載の匿名通信システム。
【請求項３】
前記匿名通信確立手段は、前記通知手段による通知に対する応答を前記発側端末から受信する応答受信手段を備え、
前記通信確立手段は、前記応答受信手段で受信された応答に基づいて前記通信セッションの確立の可否を決定する
ことを特徴とする請求項２に記載の匿名通信システム。
【請求項４】
前記通信確立手段は、前記応答受信手段で受信された応答が許可応答であった場合に前記通信セッションを確立することを特徴とする請求項３に記載の匿名通信システム。
【請求項５】
前記通信確立手段は、前記応答受信手段で受信された応答が不許可応答であった場合に前記通信セッションを確立しないことを特徴とする請求項３に記載の匿名通信システム。
【請求項６】
匿名による通信が可能な匿名通信方法であって、通信セッションの確立時に通信当事者の匿名性質を検知し、発側の通信端末に通知することを特徴とする匿名通信方法。
【請求項７】
ａ）匿名通信確立手段が、着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得ステップと、
ｂ）前記匿名通信確立手段が、前記取得した匿名管理情報から発側端末および着側端末の少なくとも一方の匿名性質を取得して発側端末へ通知する通知ステップと、
ｃ）前記匿名通信確立手段が、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立ステップと
を含むことを特徴とする請求項６に記載の匿名通信方法。
【請求項８】
匿名による通信が可能な匿名通信システムに設けられる匿名通信確立装置であって、通信セッションの確立時に通信当事者の匿名性質を検知し、発側の通信端末に通知することを特徴とする匿名通信確立装置。
【請求項９】
着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得手段と、
前記取得した匿名管理情報から発側端末および着側端末の少なくとも一方の匿名性質を取得して発側端末へ通知する通知手段と、
発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを備えること
を特徴とする請求項８に記載の匿名通信確立装置。
【請求項１０】
前記通知手段による通知に対する応答を前記発側端末から受信する応答受信手段を備え、
前記通信確立手段は、前記応答受信手段で受信された応答に基づいて前記通信セッションの確立の可否を決定すること
を特徴とする請求項９に記載の匿名通信確立装置。
【請求項１１】
通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末であって、
前記通知手段からの通知を受信し、通知内容を文字出力、音声出力および振動出力の何れか１つまたは複数の出力形態で出力する手段を備えることを特徴とする通信端末。
【請求項１２】
通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、該通知手段による通知に対する応答を発側端末から受信する応答受信手段と、該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末であって、
前記通知手段からの通知を受信し、通知内容を文字出力、音声出力および振動出力の何れか１つまたは複数の出力形態で出力する手段と、
前記通知に対する応答を前記応答受信手段へ送信する手段と
を備えることを特徴とする通信端末。
【請求項１３】
コンピュータを、
着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得手段と、
前記取得した匿名管理情報から発側端末および着側端末の少なくとも一方の匿名性質を取得して発側端末へ通知する通知手段と、
発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段と
して機能させるためのプログラム。
【請求項１４】
コンピュータを、
着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得手段と、
前記取得した匿名管理情報から発側端末および着側端末の少なくとも一方の匿名性質を取得して発側端末へ通知する通知手段と、
該通知手段による通知に対する応答を前記発側端末から受信する応答受信手段と、
該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段と
して機能させるためのプログラム。
【請求項１５】
通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末を構成するコンピュータを、
前記通知手段からの通知を受信し、通知内容を文字出力、音声出力および振動出力の何れか１つまたは複数の出力形態で出力する手段として機能させるプログラム。
【請求項１６】
通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、該通知手段による通知に対する応答を発側端末から受信する応答受信手段と、該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末を構成するコンピュータを、
前記通知手段からの通知を受信し、通知内容を文字出力、音声出力および振動出力の何れか１つまたは複数の出力形態で出力する手段と、前記通知に対する応答を前記応答受信手段へ送信する手段として機能させるプログラム。
【発明の詳細な説明】
【技術分野】
【０００１】
本発明は匿名で通信することができる匿名通信システムに関し、特に通信セッション確立時に発信者が自分や通信相手の匿名性質を確認することができる匿名通信システムに関する。
【背景技術】
【０００２】
匿名通信とは、自身を特定する識別情報を通信相手に明かさずに行う通信を言う。一例として、非特許文献１に記載された音声利用ＩＰ通信網による発番号通知・非通知サービスがある。この発番号通知・非通知サービスでは、契約時のデフォルト設定を発番号非通知に設定しておくと、着側端末に対して発側端末の電話番号を非通知にした通信、つまり匿名通信を行うことができる。また、そのような設定をしておかなくても、例えば日本の電話網においては、発側端末で「１８４」を宛先電話番号の前につけてダイヤルすることにより、着側端末に対して発側端末の電話番号を非通知にした通信、つまり匿名通信を行うことができる。これに対して、契約時のデフォルト設定を発番号通知に設定しておくと、着側端末に対して発側端末の電話番号を通知することができる。また、そのような設定をしておかなくても、例えば日本の電話網においては、発側端末で「１８６」を宛先電話番号の前につけてダイヤルすることにより、着側端末に対して発側端末の電話番号を通知することができる。【０００３】
また、非特許文献２に記載された特定番号通知サービスも匿名通信の一種である。この特定番号通知サービスでは、発信者が特定番号通知サービスの契約者となる場合、着側端末に対して発側端末の個別電話番号ではなく、発信者が契約している着信課金電話番号（一種の代表番号）を通知することができる。
【先行技術文献】
【非特許文献】
【０００４】
【非特許文献１】西日本電信電話株式会社、「音声利用ＩＰ通信網サービス」、第３．０版、２００７年２月１日、ｐｐ．１１、ナンバー・ディスプレイ、［平成２０年７月２５日検索］、インターネット＜URL:http://www.ntt-west.co.jp/flets/hikaridenwa_office/download/hikari_office3.0.pdf＞
【非特許文献２】西日本電信電話株式会社、「特定番号通知サービス」、［平成２０年７月２５日検索］、インターネット＜URL:http://www.ntt-west.co.jp/flets/hikaridenwa_office/service/bangoutuuchi/index.html＞
【非特許文献３】谷口展郎、千田浩司、塩野入理、金井敦著、ＩＥＩＣＥ  Ｔｅｃｈｎｉｃａｌ  Ｒｅｐｏｒｔ  ＳＩＴＥ２００５−５３「分散アイデンティティエスクローにおける匿名性/仮名性/本人性の管理に関する考察」、社団法人電子情報通信学会
【非特許文献４】Andreas Pfitzmann、Marit Hansen著、Anonymity, Unlinkability, Undetectability, Unobservability,Pseudonymity, and Identity Management-A Consolidated Proposal for Terminology、［平成２０年７月２５日検索］、インターネット＜URL:http://dud.inf.tu-dresden.de/literatur/Anon_Terminology_v0.31.pdf＞
【非特許文献５】フリー百科事典『ウィキペディア（Ｗｉｋｉｐｅｄｉａ）』、「匿名」、［平成２０年７月２５日検索］、インターネット＜URL:http://ja.wikipedia.org/wiki/%E5%8C%BF%E5%90%8D#.E9.96.A2.E9.80.A3.E9.A0.85.E7.9B.AE＞
【発明の概要】
【発明が解決しようとする課題】
【０００５】
上述した匿名通信システムでは、通信セッションの確立時、着信者が通信当事者の匿名性質を確認することはできる。しかし、発信者が通信当事者の匿名性質を確認することはできない。このため、例えばデフォルト設定が発番号非通知になっていると思い込んで「１８４」を付けずにダイヤルしたものの、実際はデフォルト設定が発番号通知になっていて、発信者がそれを知らずに通話してしまうといった間違いを防ぐことができなかった。【０００６】
また、特定の個人用の電話番号と思い込んでダイヤルしたものの、実際は代表番号であって発信者がそれを知らずに通話してしまうといった間違いを防ぐことができなかった。【０００７】
本発明の目的は、通信確立時に発信者が通信当事者の匿名性質を確認することのできる匿名通信システムを提供することにある。
【課題を解決するための手段】
【０００８】
本発明の匿名通信システムは、匿名による通信が可能な匿名通信システムであって、通信セッションの確立時に通信当事者の匿名性質を検知し、発側の通信端末に通知する。【０００９】
本発明の匿名通信方法は、匿名による通信が可能な匿名通信方法であって、通信セッションの確立時に通信当事者の匿名性質を検知し、発側の通信端末に通知する。【００１０】
本発明の匿名通信装置は、匿名による通信が可能な匿名通信システムに設けられる匿名通信確立装置であって、通信セッションの確立時に通信当事者の匿名性質を検知し、発側の通信端末に通知する。【００１１】
本発明の通信端末は、通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末であって、前記通知手段からの通知を受信し、通知内容を文字出力、音声出力および振動出力の何れか１つまたは複数の出力形態で出力する。【００１２】
本発明の通信端末は、通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、該通知手段による通知に対する応答を発側端末から受信する応答受信手段と、該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末であって、前記通知手段からの通知を受信し、通知内容を文字出力、音声出力および振動出力の何れか１つまたは複数の出力形態で出力する手段と、前記通知に対する応答を前記応答受信手段へ送信する手段とを備える。【００１３】
本発明のプログラムは、コンピュータを、着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段として機能させる。【００１４】
本発明のプログラムは、コンピュータを、着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得手段と、前記取得した匿名管理情報から発側端末および着側端末の少なくとも一方の匿名性質を取得して発側端末へ通知する通知手段と、該通知手段による通知に対する応答を前記発側端末から受信する応答受信手段と、該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段として機能させる。【００１５】
本発明のプログラムは、通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末を構成するコンピュータを、前記通知手段からの通知を受信し、通知内容を文字出力、音声出力および振動出力の何れか１つまたは複数の出力形態で出力する手段として機能させる。【００１６】
本発明のプログラムは、通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、該通知手段による通知に対する応答を発側端末から受信する応答受信手段と、該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末を構成するコンピュータを、前記通知手段からの通知を受信し、通知内容を文字出力、音声出力および振動出力の何れか１つまたは複数の出力形態で出力する手段と、前記通知に対する応答を前記応答受信手段へ送信する手段として機能させる。
【発明の効果】
【００１７】
本発明によれば、通信セッションの確立時に、発信者が通信当事者の匿名性質を確認することができる。
【図面の簡単な説明】
【００１８】
【図１】本発明の第１の実施の形態に係る匿名通信システムのブロック図である。
【図２】本発明の第１の実施の形態における匿名管理情報記憶部に記憶されるデータ例を示す図である。
【図３】本発明の第１の実施の形態における発着匿名管理情報の一例を示す図である。
【図４】本発明の第１の実施の形態に係る匿名通信システムの動作説明図である。
【図５】本発明の第１の実施の形態における通信端末の要部ブロック図である。
【図６】本発明の第２の実施の形態に係る匿名通信システムのブロック図である。
【図７】本発明の第２の実施の形態に係る匿名通信システムの動作説明図である。
【図８】本発明の第２の実施の形態における通信端末の要部ブロック図である。
【図９】匿名管理情報記憶部に記憶されるデータの別の例を示す図である。
【発明を実施するための形態】
【００１９】
本発明の特徴を説明するために、以下において、図面を参照して具体的に述べる。
本発明を実施するための第１の実施の形態について図面を参照して詳細に説明する。
【００２０】
［第１の実施の形態］
図１を参照すると、本発明の第１の実施の形態に係る匿名通信システム１００は、複数の通信端末１１０と、匿名性質管理装置１２０と、匿名通信確立装置１３０とがネットワーク１４０を通じて通信可能に接続されている。
【００２１】
通信端末１１０は、匿名通信に使用する通信端末であり、具体的には携帯電話機やパーソナルコンピュータ等の通信機能を有する機器である。個々の通信端末１１０には、実アドレスと匿名アドレスとの２種類の通信アドレスが割り当てられる。
【００２２】
実アドレスは、通信端末１１０を一意に識別するための識別子であり、具体的には個別の電話番号やＳＩＰ−ＵＲＩなどである。実アドレスは、利用者にとって容易に変更できない識別子であるため、悪意のある第三者に知られると、不要な通信を受けるなど利用者の安全が脅かされる危険性がある。
【００２３】
匿名アドレスは、実アドレスに対応付けて発行される識別子である。実アドレスと匿名アドレスとの対応関係は匿名通信システム内で管理され、匿名通信に際して通信の相手方を含め外部に公開されることはない。このため、匿名アドレスから利用者の実アドレスが知られることはなく、利用者の安全性を確保した匿名通信が可能になる。また、悪意のある第三者に匿名アドレスが知られた場合、匿名アドレスを無効にするか、或いは変更することで、実アドレスを変更することなく利用者の安全性を確保することができる。
【００２４】
匿名性質管理装置１２０は、通信端末１１０の匿名管理情報を保持管理する装置であり、匿名管理情報記憶部１２１と管理部１２２とを有する。
【００２５】
匿名管理情報記憶部１２１は、通信端末１１０毎の匿名管理情報を記憶するデータベースである。個々の通信端末１１０の匿名管理情報は、その通信端末１１０に割り当てられた実アドレスと、この実アドレスに対応して発行された匿名アドレスと、匿名性質とから構成される。匿名管理情報記憶部１２１に記憶されている匿名管理情報の一例を図２に示す。
【００２６】
匿名性質は、少なくとも匿名アドレスが有効であるか、無効であるかを示す情報であり、さらに、匿名アドレスが有効である場合に、匿名アドレスの匿名性質を特徴付ける１以上の属性が記述されていてもよい。匿名アドレスの匿名性質を特徴付ける属性の例として、非特許文献３では、Ｉｄｅｎｔｉｔｙ（本人性、実名性）、Ｐｓｕｅｄｏｎｙｍｉｔｙ（仮名性）、Ａｎｏｎｙｍｉｔｙ（匿名性）の３つの概念が定義されている。また、非特許文献４では、Ａｎｏｎｙｍｉｔｙ（匿名性）、Ｕｎｌｉｎｋａｂｉｌｉｔｙ（リンク不可能性）、Ｕｎｄｅｔｅｃｔａｂｉｌｉｔｙ（検知不可能性）、Ｕｎｏｂｓｅｒｖａｂｉｌｉｔｙ（観測不可能性）、Ｐｓｕｅｄｏｎｙｍｉｔｙ（仮名性）、Ｉｄｅｎｔｉｔｙ（本人性、実名性）の６つの概念が定義されている。更に、非特許文献５では、Ｕｎｌｉｎｋａｂｉｌｉｔｙ（リンク不可能性）、Ｕｎｄｅｎｉａｂｉｌｉｔｙ（否認不可能性）の２つの概念が定義されている。因みに、Ｕｎｌｉｎｋａｂｉｌｉｔｙ（リンク不可能性）は、誰が行為者であるか以外にも、或る２つの行為を実行したのが同一人物であるかどうかも判定することができない性質を意味し、Ｕｎｄｅｎｉａｂｉｌｉｔｙ（否認不可能性）は、その行為を行った者が自分でないということを第三者に証明できない性質を意味する。
【００２７】
匿名性質管理装置１２０の管理部１２２は、匿名通信確立装置１３０からの匿名管理情報の取得要求に応じて、該当する匿名管理情報を匿名管理情報記憶部１２１から検索し、匿名通信確立装置１３０へ応答する手段である。
【００２８】
匿名通信確立装置１３０は、通信端末１１０間に通信セッションを確立する装置であり、通信確立部１３１と匿名管理情報取得部１３２と通知部１３３とを有する。
【００２９】
通信確立部１３１は、通信端末１１０から着側端末を指定した通信接続要求がネットワーク１４０経由で送信されてきたときに、発側端末と着側端末との間に通信セッションを確立する手段である。また、通信確立部１３１は、確立した通信セッションを通信終了時に破棄する手段である。通信セッションの確立時には、発側端末の匿名管理情報と着側端末の匿名管理情報とを匿名管理情報取得部１３２を通じて匿名性質管理装置１２０から取得する。また、取得した匿名管理情報に含まれる発側端末の匿名性質に応じて、着側端末へ通知する発側端末のアドレスを実アドレスおよび匿名アドレスのうちの何れにするかを決定する。なお、匿名アドレスが複数存在する場合、匿名アドレスを通知すると決定した場合には、さらに何れの匿名アドレスを通知するかを決定する。
【００３０】
また、通信確立部１３１は、通信セッションの確立に先立って、匿名管理情報取得部１３２から受け取った発側端末の匿名管理情報を発側匿名管理情報、着側端末の匿名管理情報を着側匿名管理情報として含む発着匿名管理情報を生成し、この発着匿名管理情報を通知部１３３へ送信する。図３に発着匿名管理情報の一例を示す。
【００３１】
匿名管理情報取得部１３２は、通信確立部１３１からの指示に従って、発側端末の匿名管理情報と着側端末の匿名管理情報の取得要求をネットワーク１４０経由で匿名性質管理装置１２０に送信し、それに対する応答として匿名性質管理装置１２０から送信されてくる匿名管理情報を受信し、通信確立部１３１に伝達する手段である。
【００３２】
通知部１３３は、通信確立部１３１によって確立される通信セッションを通じて互いに通信する通信当事者の匿名性質を、その通信の発側の通信端末１１０に通知する手段である。通知部１３３は、通信確立部１３１から発着匿名管理情報を受信すると、以下のａ、ｂ、ｃの何れかの動作を実行する。
（ａ）発側匿名管理情報から抽出した発側端末の匿名性質を含む通知情報を生成し、発側匿名管理情報中の実アドレスで識別される発側端末に対してネットワーク１４０経由で送信する。
（ｂ）着側匿名管理情報から抽出した着側端末の匿名性質を含む通知情報を生成し、発側匿名管理情報中の実アドレスで識別される発側端末に対してネットワーク１４０経由で送信する。
（ｃ）発側匿名管理情報から抽出した発側端末の匿名性質および着側匿名管理情報から抽出した着側端末の匿名性質を含む通知情報を生成し、発側匿名管理情報中の実アドレスで識別される発側端末に対してネットワーク１４０経由で送信する。
【００３３】
ａ、ｂ、ｃの何れの動作を行うかは、例えばシステム設定により定められる。以下、システム設定でａが定められているものとして説明を続ける。
【００３４】
次に本実施の形態に係る匿名通信システム１００の動作例について図４を参照して説明する。例としては、通信端末１１０−１が発側端末、通信端末１１０−２が着側端末となる通信セッションの確立時に、通信端末１１０−１に対して通信当事者の匿名性質を送信する例を取り上げる。ここで、通信端末１１０−１の利用者をＡ、実アドレスをsip:101@example.com、匿名アドレスをsip:anonym-1-1@example.com、匿名性質をUnlinkability&Undeniabilityとし、通信端末１１０−２の利用者をＢ、実アドレスをsip:201@example.com、匿名アドレスをsip:anonym-2-1@example.com、匿名性質をUnlinkability&Undeniabilityとする。
【００３５】
利用者Ａが通信端末１１０−１上で利用者Ｂへの発呼操作を行うと、通信端末１１０−１からネットワーク１４０経由で匿名通信確立装置１３０の通信確立部１３１に対して通信接続要求が送信される（図４の(１)）。この通信接続要求には、発側端末である通信端末１１０−１を特定する情報として通信端末１１０−１の例えば実アドレスが含まれ、着側端末である通信端末１１０−２を指定する情報として通信端末１１０−２の例えば匿名アドレスが含まれている。
【００３６】
通信確立部１３１は、通信接続要求に含まれる発側端末の実アドレス、着側端末の匿名アドレスを匿名管理情報取得部１３２に渡して発側匿名管理情報、着側匿名管理情報の取得を要求する（図４の(２)）。
【００３７】
匿名管理情報取得部１３２は、発側端末の実アドレスを含む匿名管理情報の取得要求および着側端末の匿名アドレスを含む匿名管理情報の取得要求をネットワーク１４０経由で匿名性質管理装置１２０の管理部１２２へ送信する（図４の(３)）。
【００３８】
管理部１２２は、発側端末の実アドレスと同じ実アドレスを含む匿名管理情報および着側端末の匿名アドレスと同じ匿名アドレスを含む匿名管理情報を匿名管理情報記憶部１２１から検索し、発見した匿名管理情報を匿名管理情報取得部１３２へネットワーク１４０経由で送信する（図４の(４)）。匿名管理情報取得部１３２は、受信した匿名管理情報を通信確立部１３１へ伝達する（図４の(5)）。この結果、図２に示した１行目の匿名管理情報が発側匿名管理情報として、また図２に示した２行目の匿名管理情報が着側匿名管理情報として、通信確立部１３１へ渡されることになる。
【００３９】
通信確立部１３１は、受信した発側匿名管理情報と着側匿名管理情報とを含む発着匿名管理情報を生成し、通知部１３３へ送信する（図４の(6)）。
【００４０】
通知部１３３は、受信した発着匿名管理情報に基づいて、発側端末１１０−１に対して発側の匿名性質を通知する（図４の(7)）。具体的には、図３の発着匿名管理情報の場合、発側匿名管理情報の匿名性質Unlinkability&Undeniabilityを含む通知情報を生成し、実アドレスsip:101@example.comで特定される発側の通信端末１０１−１に対してネットワーク１０４経由で送信する。
【００４１】
通信端末１１０−１は、通知情報を受信すると、利用者Ａに通知情報を提示する。提示する方法は、表示画面への表示、音声や音による出力、振動による出力の何れであってもよいし、それらを組み合わせたものであってもよい。通知情報の提示構成の一例を図５に示す。この例では、通知情報受信部１６１が通知部１３３からの通知情報を受信し、表示部１６２、音声発生部１６３および振動発生部１６４へ伝達する。表示部１６２は、液晶ディスプレイなどの表示画面に、通知情報で通知された発側端末の匿名性質を表示する。また、音声発生部１６３はスピーカなどの音声出力素子から同様の内容を音声にて出力する。さらに、振動発生部１６４は、例えば各匿名性質に１対１に対応付けられた振動パターンによって振動子を振動させることで利用者Ａに匿名性質を通知する。
【００４２】
通信確立部１３１は、発着匿名管理情報を通知部１３３へ通知した後、通信セッションの確立を試みる。まず、発側匿名管理情報中の匿名性質がUnlinkability&Undeniabilityであることを認識し、着側端末へ通知する発側端末のアドレスを匿名アドレスにすることを決定する。次に、着側匿名管理情報から着側端末である通信端末１１０−２の実アドレスを読み出し、着側端末である通信端末１１０−２に発側端末である通信端末１１０−１の実アドレスを隠蔽し、代わりに発側匿名管理情報中の匿名アドレスを通知して、通信端末１１０−１と通信端末１１０−２との間に通信セッションを確立する（図４の(8)）。これにより、通信端末１１０−１と通信端末１１０−２は、その通信セッションを通じて通信を開始する（図４の(9)）。
【００４３】
次に本実施の形態の効果を説明する。
【００４４】
本実施の形態によれば、発側端末の利用者が通信セッション確立時に自身や通信相手の匿名性質を確認することができる。
【００４５】
また本実施の形態によれば、発側端末の利用者が送信した通信接続要求に応答する形で通信当事者の匿名性質を通知するため、発側端末の利用者は通信当事者の匿名性質の通知を受けるために特別な操作を行う必要はない。このため、例えばデフォルト設定が発番号非通知になっていると思い込んで、日本の電話網において発番号非通知を意味する「１８４」を付けずにダイヤルしたものの、実際はデフォルト設定が発番号通知になっていて、発信者がそれを知らずに通話してしまうといった不注意を未然に防止することができる。また、特定の個人用の電話番号と思い込んでダイヤルしたものの、実際は代表番号であって発信者がそれを知らずに通話してしまうといった不注意を未然に防止することができる。
【００４６】
［第２の実施の形態］
図６を参照すると、本発明の第２の実施の形態に係る匿名通信システム２００は、図１に示した第１の実施の形態に係る匿名通信システム１００と比較して、匿名通信確立装置１３０内に新たに応答受信部１３４を備えている点、通信確立部１３１に代えて通信確立部１３５を備えている点、通信端末１１０に代えて通信端末１１１を備えている点で相違し、その他は第１の実施の形態に係る匿名通信システム１００と同じである。
【００４７】
通信端末１１１は、第１の実施の形態における通信端末１１０の機能に加えてさらに、匿名通信確立装置１３０の通知部１３３からの通知に対する応答として、通信セッションの確立の許可を示す許可応答、通信セッションの確立の不許可を示す不許可応答の何れか一方を選択的に送信する機能を有している。
【００４８】
応答受信部１３４は、通知部１３３による通知に対する応答を通信端末１１１から受信し、通信確立部１３５に通知する手段である。
【００４９】
通信確立部１３５は、第１の実施の形態における通信確立部１３５の機能に加えてさらに、応答受信部１３４から通知される通信端末１１１の応答結果に応じて、通信セッションの確立の可否を決定する機能を有する。具体的には、応答が許可応答であった場合に限り、通信セッションを確立する。
【００５０】
次に本実施の形態に係る匿名通信システム２００の動作例について図７を参照して説明する。例としては、第１の実施の形態における例と同様に、通信端末１１１−１が発側端末、通信端末１１１−２が着側端末となる通信セッションの確立時に、通信端末１１１−１に対して通信当事者の匿名性質を送信する例を取り上げる。
【００５１】
利用者Ａが通信端末１１１−１上で利用者Ｂへの発呼操作を行うと、通信端末１１１−１からネットワーク１４０経由で匿名通信確立装置１３０の通信確立部１３５に対して通信接続要求が送信される（図７の(11)）。この通信接続要求には、発側端末である通信端末１１１−１を特定する情報として通信端末１１１−１の例えば実アドレスが含まれ、着側端末である通信端末１１１−２を指定する情報として通信端末１１１−２の例えば匿名アドレスが含まれている。
【００５２】
通信確立部１３５は、通信接続要求に含まれる発側端末の実アドレス、着側端末の匿名アドレスを匿名管理情報取得部１３２に渡して発側匿名管理情報、着側匿名管理情報の取得を要求する（図７の(12)）。
【００５３】
匿名管理情報取得部１３２は、発側端末の実アドレスを含む匿名管理情報の取得要求および着側端末の匿名アドレスを含む匿名管理情報の取得要求をネットワーク１４０経由で匿名性質管理装置１２０の管理部１２２へ送信する（図７の(13)）。
【００５４】
管理部１２２は、発側端末の実アドレスと同じ実アドレスを含む匿名管理情報および着側端末の匿名アドレスと同じ匿名アドレスを含む匿名管理情報を匿名管理情報記憶部１２１から検索し、発見した匿名管理情報を匿名管理情報取得部１３２へネットワーク１４０経由で送信する（図７の(14)）。匿名管理情報取得部１３２は、受信した匿名管理情報を通信確立部１３５へ伝達する（図７の(15)）。この結果、図２に示した１行目の匿名管理情報が発側匿名管理情報として、また図２に示した２行目の匿名管理情報が着側匿名管理情報として、通信確立部１３５へ渡されることになる。
【００５５】
通信確立部１３５は、受信した発側匿名管理情報と着側匿名管理情報とを含む発着匿名管理情報を生成し、通知部１３３へ送信する（図７の(16)）。そして、通信確立部１３５は、応答受信部１３４から通知に対する応答が送られてくるのを待つ。
【００５６】
通知部１３３は、受信した発着匿名管理情報に基づいて、発側端末１１１−１に対して発側の匿名性質を通知する（図７の(17)）。具体的には、図３の発着匿名管理情報の場合、発側匿名管理情報の匿名性質Unlinkability&Undeniabilityを含む通知情報を生成し、実アドレスsip:101@example.comで特定される発側の通信端末１１１−１に対してネットワーク１４０経由で送信する。
【００５７】
通信端末１１１−１は、通知情報を受信すると、利用者Ａに通知情報を提示する。提示する方法は、表示画面への表示、音声や音による出力、振動による出力の何れであってもよいし、それらを組み合わせたものであってもよい。通知情報の提示構成は図５と同様な図８に示す構成とすることができる。図８を参照すると、通信端末１１１−１には、キーボード等の入力部１６５と応答送信部１６６とが設けられている。利用者Ａは、匿名通信確立装置１３０の通知部１３３から受信した通知情報の内容を表示する表示画面等から自身や通信相手の匿名性質を確認し、問題がなければ入力部１６５から許可の指示を入力し、問題があれば不許可の指示を入力する。応答送信部１６６は、入力された指示を含む応答情報を生成し、匿名通信確立装置１３０の応答受信部１３４にネットワーク１４０経由で送信する（図７の(18)）。
【００５８】
匿名通信確立装置１３０の応答受信部１３４は、通信端末１１１−１からネットワーク１４０経由で応答を受信すると、受信した応答を通信確立部１３５に通知する（図７の(19)）。
【００５９】
通信確立部１３５は、発着匿名管理情報を通知部１３３へ通知した後、応答受信部１３４から不許可応答を受信すると、通信セッションの確立は行わない。他方、応答受信部１３４から許可応答を受信すると、通信セッションの確立を試行する。なお、発着匿名管理情報を通知部１３３へ通知した後、一定時間内に応答受信部１３４から何らかの応答がない場合、不許可応答があったものと見做してもよいし、逆に許可応答があったものと見做してもよい。
【００６０】
通信確立部１３５は、通信セッションの確立を試行する場合、まず、発側匿名管理情報中の匿名性質がUnlinkability&Undeniabilityであることを認識し、着側端末へ通知する発側端末のアドレスを匿名アドレスにすることを決定する。次に、着側匿名管理情報から着側端末である通信端末１１１−２の実アドレスを読み出し、着側端末である通信端末１１１−２に発側端末である通信端末１１１−１の実アドレスを隠蔽し、代わりに発側匿名管理情報中の匿名アドレスを通知して、通信端末１１１−１と通信端末１１１−２との間に通信セッションを確立する（図７の(20)）。これにより、通信端末１１１−１と通信端末１１１−２は、その通信セッションを通じて通信を開始する（図７の(21)）。
【００６１】
次に本実施の形態の効果を説明する。
【００６２】
本実施の形態によれば、第１の実施の形態と同様の効果が得られると同時に、通信当事者の匿名性質の確認を行った発側端末利用者の許可を得てから、通信セッションを確立することが可能になる。これによって、例えばデフォルト設定が発番号非通知になっていると思い込んで、日本の電話網において初番号非通知を意味する「１８４」を先頭に付けずにダイヤルしたものの、実際はデフォルト設定が発番号通知になっていた場合に、発信者が通知情報でそれを知った時点で不許可の応答を出すことで、無駄な通信セッションの確立を防止することができる。また、特定の個人用の電話番号と思い込んでダイヤルしたものの、実際は代表番号であった場合に、発信者がそれを通知情報で知った時点で不許可の応答を出すことで、無駄な通信セッションの確立を防止することができる。
【００６３】
［その他の実施の形態］
本発明は以上の実施の形態に限定されず、以下のような各種の付加変更が可能である。
【００６４】
以上の実施の形態では、通信端末の実アドレスに対応する匿名アドレスは予め生成されて匿名性質管理装置１２０に記憶されているものとしたが、動的に生成するようにしてもよい。この場合、例えば匿名性質管理装置１２０の管理部１２２に、通信端末の実アドレスから匿名アドレスを生成する機能が設けられる。管理部１２２は、匿名通信確立装置１３０の匿名管理情報取得部１３２から実アドレスを含む匿名管理情報の取得要求を受信したとき、匿名管理情報記憶部１２１に該当する匿名管理情報が存在しない場合、或いは存在しても匿名性質が例えばUnlinkabilityのために前回と異なる匿名アドレスを生成する必要がある場合、受信した実アドレスから所望の匿名性質を持つ匿名アドレスを生成し、実アドレスと前記生成した匿名アドレスと匿名性質とから構成される匿名管理情報を匿名管理情報記憶部１２１に登録すると同時に、匿名管理情報取得部１３２へ送信する。
【００６５】
以上の実施の形態では、全ての通信端末の匿名管理情報が１つの匿名性質管理装置１２０で管理されるものとしたが、複数の匿名性質管理装置１２０で分散的に管理されるものであってもよい。
【００６６】
以上の実施の形態では、１つの匿名通信確立装置１３０が、発側の通信端末の実アドレスと着側の通信端末の実アドレスを認識して、双方の通信端末の間に通信セッションを確立したが、１つの匿名通信確立装置に発側および着側双方の実アドレスが知られないようにするために、複数の匿名通信確立装置で分担して通信セッションを確立するようにしてもよい。具体的には、発側の通信端末から発側の実アドレスと着側の匿名アドレスを含む通信接続要求を受けた第１の匿名通信確立装置は、発側の実アドレスで特定される通信端末との間に通信セッションを確立し、着側の通信端末の匿名アドレスと匿名性質管理装置から取得した発側の匿名管理情報中の発側の匿名アドレスとを第２の匿名通信確立装置へ送信する。第２の匿名通信確立装置は、着側の匿名アドレスに対応する実アドレスを含む匿名管理情報を匿名性質管理情報から取得し、着側の実アドレスで特定される通信端末との間に通信セッションを確立する。最後に、第１の匿名通信確立装置で確立した通信セッションと第２の匿名通信確立装置で確立した通信セッションとを結合し、発側と着側との間の通信に使用する通信セッションを生成する。
【００６７】
以上の実施の形態では、通信端末の匿名アドレスは実アドレスと１対１に対応しているものとして説明したが、１つの実アドレスに対して複数の匿名アドレスが対応していてもよい。この場合、匿名性質はすべて同じであってもよいし、一部あるいは全部で異なっていてもよい。また、匿名アドレスを通信相手の匿名アドレスによって使い分けるようにしてもよい。図９は、実アドレスとしてsip:101@example.comを持つ通信端末に２つの匿名アドレスsip:anonym-1-1@example.com、sip:anonym-1-2@example.comを対応付けた匿名管理情報の例を示す。この例では、通信相手の匿名アドレスがsip:anonym-2-1@example.comのときはsip:anonym-1-1@example.comを使用し、通信相手の匿名アドレスがsip:anonym-2-2@example.comのときはsip:anonym-1-2@example.comを使用するように設定されている。このような匿名管理情報を使用する場合、匿名通信確立装置１３０が例えば発側の通信端末の実アドレスを含む匿名管理情報の取得を要求する場合、通信相手である着側の匿名アドレス（例えばsip:anonym-2-1@example.comとする）も要求中で指定する。匿名性質管理装置１２０の管理部１２２は、取得要求で指定された発側の実アドレスsip:101@example.comを持ち、かつ要求中で指定された通信相手（着側）の匿名アドレスを持つ匿名管理情報を匿名管理情報記憶部１２１から検索する。従って、図９の場合は、１行目の匿名管理情報が検索され、匿名通信確立装置１３０へ送られる。
【００６８】
以上の実施の形態では、発側端末は同時には他の１つの通信端末との間で匿名通信する場合について説明したが、１つの発側端末が同時に複数の他の通信端末と匿名通信を行うことも可能である。その際、図９に示したように通信相手毎に異なる匿名アドレスを使用するようにしてもよい。このとき、当該１つの発側端末から同時に複数の他の通信端末に対する接続要求が出された場合、当該１つの発側端末と複数の他の通信端末との間のすべての匿名通信について、その通信当事者（発側、着側の何れか又は双方）の匿名性質を発側端末に通知するようにしてもよい。
【００６９】
以上の実施の形態では、発側端末は他の１つの通信端末との間で１つの匿名通信を行う場合について説明したが、１つの発側端末が他の１つの通信端末と同時に複数の通信セッションを確立して、匿名通信毎に同一または異なる匿名性質の匿名アドレスを使用して同時に複数の匿名通信を行うことも可能である。このとき、当該１つの発側端末から同時に他の通信端末に対する複数の接続要求が出された場合、当該１つの発側端末と他の通信端末との間のすべての匿名通信について、その通信当事者（発側、着側の何れか又は双方）の匿名性質を発側端末に通知するようにしてもよい。このとき、個々の匿名通信で使用されている匿名アドレスや、個々の匿名通信を識別するために匿名通信確立装置１３０が各通信セッションに付与するセッション識別子をあわせて通知するようにしてもよい。
【００７０】
また、上述した各実施の形態における匿名通信確立装置、匿名性質管理装置および通信端末が有する各機能は、ハードウェア的に実現することは勿論、コンピュータとプログラムとで実現することができる。
【００７１】
本発明は、インターネットや次世代通信網（ＮＧＮ）を通じて携帯電話機などの通信端末間で行われる匿名通信システムにおいて、発側端末が通信セッション確立時に自分や通信相手の匿名性質を確認するシステムおよび方法に適用することができる。
【００７２】
以上の如く、本発明の第１の態様は、匿名による通信が可能な匿名通信システムであって、通信セッションの確立時に通信当事者の匿名性質を検知し、発側の通信端末に通知することを特徴とする。
【００７３】
本発明の第２の態様は、上記態様において、通信端末の実アドレスと匿名アドレスと匿名性質とを含む匿名管理情報を保持する匿名性質管理手段と、通信端末間に通信セッションを確立する匿名通信確立手段とを備え、前記匿名通信確立手段は、着側端末を指定した発側端末からの通信接続要求時、発側端末の匿名管理情報と着側端末の匿名管理情報とを前記匿名性質管理手段から取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有することを特徴とする。
【００７４】
本発明の第３の態様は、上記態様において、前記匿名通信確立手段は、前記通知手段による通知に対する応答を前記発側端末から受信する応答受信手段を備え、前記通信確立手段は、前記応答受信手段で受信された応答に基づいて前記通信セッションの確立の可否を決定することを特徴とする。
【００７５】
本発明の第４の態様は、上記態様において、前記通信確立手段は、前記応答受信手段で受信された応答が許可応答であった場合に前記通信セッションを確立することを特徴とする。
【００７６】
本発明の第５の態様は、上記態様において、前記通信確立手段は、前記応答受信手段で受信された応答が不許可応答であった場合に前記通信セッションを確立しないことを特徴とする。
【００７７】
本発明の第６の態様は、匿名による通信が可能な匿名通信方法であって、通信セッションの確立時に通信当事者の匿名性質を検知し、発側の通信端末に通知することを特徴とする。
【００７８】
本発明の第７の態様は、上記態様において、ａ）匿名通信確立手段が、着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得ステップと、ｂ）前記匿名通信確立手段が、前記取得した匿名管理情報から発側端末および着側端末の少なくとも一方の匿名性質を取得して発側端末へ通知する通知ステップと、ｃ）前記匿名通信確立手段が、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立ステップとを含むことを特徴とする。
【００７９】
本発明の第８の態様は、匿名による通信が可能な匿名通信システムに設けられる匿名通信確立装置であって、通信セッションの確立時に通信当事者の匿名性質を検知し、発側の通信端末に通知することを特徴とする。
【００８０】
本発明の第９の態様は、上記態様において、着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを備えることを特徴とする。
【００８１】
本発明の第１０の態様は、上記態様において、前記通知手段による通知に対する応答を前記発側端末から受信する応答受信手段を備え、前記通信確立手段は、前記応答受信手段で受信された応答に基づいて前記通信セッションの確立の可否を決定することを特徴とする。
【００８２】
本発明の第１１の態様は、通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末であって、前記通知手段からの通知を受信し、通知内容を文字出力、音声出力および振動出力の何れか１つまたは複数の出力形態で出力する手段を備えることを特徴とする。
【００８３】
本発明の第１２の態様は、通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、該通知手段による通知に対する応答を発側端末から受信する応答受信手段と、該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末であって、前記通知手段からの通知を受信し、通知内容を文字出力、音声出力および振動出力の何れか１つまたは複数の出力形態で出力する手段と、前記通知に対する応答を前記応答受信手段へ送信する手段とを備えることを特徴とする。
【００８４】
本発明の第１３の態様は、コンピュータを、着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段として機能させる。
【００８５】
本発明の第１４の態様は、コンピュータを、着側端末を指定した発側端末からの通信接続要求時、通信端末の実アドレスと匿名アドレスと匿名性質とを含む匿名管理情報を保持する匿名性質管理手段から、発側端末の匿名管理情報と着側端末の匿名管理情報を取得する匿名管理情報取得手段と、前記取得した匿名管理情報から発側端末および着側端末の少なくとも一方の匿名性質を取得して発側端末へ通知する通知手段と、該通知手段による通知に対する応答を前記発側端末から受信する応答受信手段と、該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段として機能させる。
【００８６】
本発明の第１５の態様は、通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、発側端末と着側端末との間に通信セッションを確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末を構成するコンピュータを、前記通知手段からの通知を受信し、通知内容を文字出力、音声出力および振動出力の何れか１つまたは複数の出力形態で出力する手段として機能させる。
【００８７】
本発明の第１６の態様は、上記態様において、通信端末の実アドレスと匿名アドレスと匿名性質とを含む匿名管理情報を保持する匿名性質管理手段と、通信端末間に通信セッションを確立する匿名通信確立手段であって、着側端末を指定した発側端末からの通信接続要求時、発側端末の匿名管理情報と着側端末の匿名管理情報を前記匿名性質管理手段から取得する匿名管理情報取得手段と、前記取得した匿名管理情報から発側端末および着側端末の少なくとも一方の匿名性質を取得して発側端末へ通知する通知手段と、該通知手段による通知に対する応答を発側端末から受信する応答受信手段と、該応答受信手段で受信された応答に基づいて発側端末と着側端末との間の通信セッションの確立の可否を決定し、確立する際に、前記取得した匿名管理情報に含まれる発側端末の匿名性質に応じて着側端末へ通知する発側端末のアドレスを実アドレスおよび匿名アドレスのうちの何れにするかを決定する通信確立手段とを有する匿名通信確立手段とを備えた匿名通信システムにおける通信端末を構成するコンピュータを、前記通知手段からの通知を受信し、通知内容を文字出力、音声出力および振動出力の何れか１つまたは複数の出力形態で出力する手段と、前記通知に対する応答を前記応答受信手段へ送信する手段として機能させる。
【００８８】
以上、実施の形態及び実施例をあげて本発明を説明したが、本発明は必ずしも上記実施の形態及び実施例に限定されるものではなく、その技術的思想の範囲内において様々に変形し実施することが出来る。
【００８９】
この出願は、２００８年７月３１日に出願された日本出願特願２００８−１９７９４４を基礎とする優先権を主張し、その開示の全てをここに取り込む。
【符号の説明】
【００９０】
１００、２００  匿名通信システム
１１０、１１１  通信端末
１２０          匿名性質管理装置
１３０          匿名通信確立装置
１４０          ネットワーク
【図１】
2010013802.tif 000003
【図２】
2010013802.tif 000004
【図３】
2010013802.tif 000005
【図４】
2010013802.tif 000006
【図５】
2010013802.tif 000007
【図６】
2010013802.tif 000008
【図７】
2010013802.tif 000009
【図８】
2010013802.tif 000010
【図９】
2010013802.tif 000011
【国際調査報告】
2010013802.tif 000012
2010013802.tif 000013